(57)【要約】【課題】一般家庭内の非常事態を不特定多数の人々に知らせ，いち早く救助・援助・通報に参加してもらう。また，そのために取り付けが簡単で安価な警報装置システムを提供する。 【解決手段】ライトとサイレンまたはベルを一般住宅側面上部などの，できるだけ多くの人々にわかる位置に設置する。非常時にスイッチを入れ不特定多数の人々に知らせ救助・援助・通報に参加してもらう。  隣人宅や自治会・警察・消防などと連携をとり，ライトとサイレン・ベルが作動しているときは住居に入り，救助等ができるようにあらかじめ連絡を取っておく。 【選択図】図１
2004185643.tif 000002
【特許請求の範囲】
【請求項１】
一般家庭住居内の非常事態を住居近隣の不特定多数の人々に知らせることのできる，安価で簡単に設置することのできる警報システム。
【発明の詳細な説明】
【技術分野】
【０００１】
本発明は，一般家庭住居内の非常事態を，住居近くの不特定多数の人々に知らせ，助けを求めることができるようにするために，安価で簡単に設置することのできる警報システムを提供するものである。
【背景技術】
【０００２】
警報システムは金融機関や消防署・警察署等において広く使用され組織や住民の安全を確保するのに必要不可欠である。
【０００３】
しかし，それら企業や組織で使用されている警報機を，一般家庭住居内に取り付け使用することは価格面・維持面・運用面等において困難であることが多い。
【０００４】
また，連絡されてから救助員等が駆けつけるまでに時間がかかり，重大な惨事に至ることも多い。警察や消防が整備されている我が国でも，連絡を受けてから到着までは数分かかる。
【０００５】
また，近代の一般住宅は機密性が高く，住居内で強盗などの犯罪が行われていても巡回中の警察官でもわからない場合があり，凄惨且つ凶悪な事件が時間を経て発見されることも多い。
【０００６】
これらのプロの救助士の働きに加えて，住居近隣の不特定多数の人々に非常事態を知らせ助けを得ることができれば，いち早く救助・援助にとりかかり事件を最小限に抑えることができる。
【発明の開示】
【発明が解決しようとする課題】
【０００７】
従来の警報装置は住民当本人・侵入者・警備会社などの特定の人々に警報・警告を与え危険を回避するものであったが，このシステムでは時間がかかり重大な事件に発展する場合がある。事件が起こった場合まず頼りになるのは近隣にいる人々であり，遠方の助けを待っていたのでは大事に至ることが多い。
【０００８】
また，従来の警報装置は無線や電話回線，モニターテレビなどを使っている場合が多いため費用がかかり，一般家庭ではなかなか設置することができなかった。
【０００９】
そこで，本考案では簡単な構造のライトとサイレンまたはベルを住居に取り付け，住居近辺にいる不特定多数の人々（隣人・自治会・通りがかりの人々）に非常事態を知らせ，救助・援助・通報に参加してもらうことで事件を解決するものである。
【課題を解決するための手段】
【００１０】
本考案はライトとサイレン・ベルを住居壁等に設置し，住居近隣の不特定多数の人々に非常事態を知らせ，いち早く救助・通報等に協力してもらうものである。
【００１１】
住居近隣の人々が発見しやすい住居壁等にライトとサイレン・ベルを設置する。（図１）
【００１２】
作動スイッチは住人が操作しやすい位置に設置する。（図１）
【００１３】
非常事態が発生したときスイッチを入れライトとサイレンが鳴り，近くにいた人々が救助・援助・通報する。
【発明の効果】
【００１４】
不特定多数の人々が発見しやすい住居壁等にライトとサイレン・ベルを設置し，非常時に点灯・音を鳴らすことで住居近隣の歩行者・隣人等に知らせることができる。知らされた人々は救助・通報にいち早く参加することができる。
【００１５】
防犯の場合，自治会等多数の近隣者が駆けつければ，早期犯人逮捕に結びつけることができる。また，非常ライトやサイレン・ベル等が設置されていることで犯罪の抑止力にもなる。気密性の高い住宅でも泥棒等が入っていることが一目瞭然である。
【００１６】
火災の場合，通りがかった人々が助け合うことで初期消火が可能であり，逃げ遅れた人の救助もできる。
【００１７】
急患の場合，いち早く消防に通報したり救急処置をすることもできる。特に家族が離れた場所にいる独居のお年寄りの場合，体調の不具合を連絡しても手遅れになる場合もあるが，本考案を使用することで，通りがかりの人に助けてもらうことも可能である。
【００１８】
家庭内のいざこざ（家庭内暴力・幼児虐待など）の抑止力ともなる。警察・役所等はなかなか一般家庭の問題（民事的な問題）には入ることができないが，非常灯がついていれば家庭訪問あるいは家庭内に踏み込むことができる。
【発明を実施するための最良の形態】
【００１９】
ライトとサイレン・ベルをできるだけ多くの不特定多数の人々に知らせることができる場所に設置する。作動スイッチは住人が操作しやすい位置に設置する。
【００２０】
隣人宅や自治会・警察・消防などと連携をとり，ライトとサイレン・ベルが作動しているときは連携して住居に入り，救助等ができるようにあらかじめ連絡を取っておく。
【実施例１】
【００２１】
図１は一般の一戸建て家屋にライトとサイレン・ベルを取り付けた例のイメージ図である。ライトとサイレン・ベルは屋根や塀等に隠れたりしない場所に取り付ける。スイッチは住人の生活状態・健康状態等を考慮した位置に取り付ける。
【００２２】
図２は本警報機の構造である。スイッチ（１）・ライト（２）・サイレンまたはベル（３）・接続ケーブル（４）の極めて簡単な構造でありライト・サイレンは屋外の不特定多数の人々にわかる位置に，スイッチは使用者が使いやすい屋内外に設置する。
【００２３】
図３は実際にライトとサイレンを住居壁に取り付けた状態の写真である。この参考例ではライトは点滅球を用いているが，回転灯などを用いると効果的である。
【００２４】
図４は実際に台所の冷蔵庫裏にスイッチを取り付けている状態の写真である。
【００２５】
図５は防犯時の本システム稼働の様子のイメージ図である。
【産業上の利用可能性】
【００２６】
本発明により防犯・火災・急患等の非常時に近隣の人々の助けをいち早くかりることができる。自分や家族等だけで処理できない重大な非常事態が起こり，警察・消防・警備会社等に連絡してからでは遅くなるような場合でも，住宅のそばにいた人々の手助けでくい止めることも可能である。
【００２７】
また，この意識が高まることによって住民間の団結力が高まり，地域社会全体が非常時の連絡・救助・援助をお互いに心がけるようになるものと思われる。安全神話が崩れ他人に無関心になりがちになっている我が国において，近所・地域の団結力を高めることは非常に大切なことと思われる。
【００２８】
さらに，近隣の自治会等が各家庭の非常事態を本システムとともにＬＡＮ等のケーブルで結びつければ，『どこどこの誰の家庭で非常事態』ということまでわかり，さらに迅速な対応をすることができると思われる。
【図面の簡単な説明】
【００２９】
【図１】一般家庭の一戸建て家屋にライトとサイレン・ベルを取り付けた実施方法を示した説明図である。（実施例１）
【図２】本警報機の構造である。スイッチ（１）・ライト（２）・サイレンまたはベル（３）・接続ケーブル（４）からなる。
【図３】実際にライトとサイレンを住居壁に取り付けた状態の写真である。
【図４】実際に台所の冷蔵庫裏にスイッチを取り付けている状態の写真である。
【図５】防犯時の本システム稼働の様子のイメージ図である。
【符号の説明】
【００３０】
１    スイッチ
２    ライト
３    サイレン・ベル
４    接続コード
【図１】
2004185643.tif 000003
【図２】
2004185643.tif 000004
【図３】
2004185643.tif 000005
【図４】
2004185643.tif 000006
【図５】
2004185643.tif 000007